【手続補正書】
【提出日】平成20年2月22日(2008.2.22)
【手続補正１】
【補正対象書類名】明細書
【補正対象項目名】特許請求の範囲
【補正方法】変更
【補正の内容】
【特許請求の範囲】
【請求項１】
複数の吐出口と該複数の吐出口に対応して設けられた複数の記録素子とを有し、該記録素子に駆動信号を与えることで対応する複数の吐出口からインクを吐出する記録ヘッドを用い、該記録ヘッドから被記録媒体にインクを吐出して記録を行うインクジェット記録装置であって、
前記複数の記録素子を、それぞれが所定の数の記録素子を含む複数ブロックに分割し、記録する画像の解像度に応じた吐出周期の間に、前記複数ブロックのそれぞれを順次駆動してインクを吐出させる駆動手段と、
前記吐出周期の間に駆動する記録素子の数と、順次駆動される前記複数ブロックのそれぞれにおける記録素子の数とに基づいて、前記記録素子に与える駆動信号のエネルギーを調整する調整手段と、
を有することを特徴とするインクジェット記録装置。
【請求項２】
前記調整手段は、
前記吐出周期の間に駆動される記録素子の数と、前記複数ブロックのそれぞれにおいて駆動される記録素子の数とを計数する計数手段とを有し、
前記計数手段により計数された計数値をもとに前記記録ヘッドの前記記録素子に印加する駆動用のパルス信号のパルス幅を変更することを特徴とする請求項１に記載のインクジェット記録装置。
【請求項３】
走査方向に対して略直交する方向に配列された複数の吐出口を有し、該吐出口に対応して設けられた記録素子に駆動信号を印加することで対応した複数の吐出口からインクを吐出する記録ヘッドを前記走査方向に複数並列に備え、前記複数の記録ヘッドから被記録媒体にインクを吐出して記録を行うインクジェット記録装置であって、
各記録ヘッドにおける前記複数の記録素子を、それぞれが所定数の記録素子を含む複数ブロックに分割し、記録する画像の解像度に応じた吐出周期の間で、前記複数ブロックのそれぞれを順次駆動してインクを吐出させる駆動手段と、
各記録ヘッドにおける前記吐出周期の間に駆動する記録素子の数と、順次駆動される前記複数ブロックのそれぞれにおける記録素子の数とに基づいて、前記複数の記録ヘッドの記録素子に与える駆動信号のエネルギーを調整する調整手段と、
を有することを特徴とするインクジェット記録装置。
【請求項４】
前記調整手段は、
各記録ヘッドにおける前記吐出周期の間に駆動される記録素子の数と、各記録ヘッドにおける前記複数ブロックのそれぞれにおける記録素子の駆動数とを計数する計数手段と、
前記計数手段の計数結果に基づいて、前記複数の記録ヘッドのうち、同時に駆動される記録ヘッドについて、前記吐出周期の間に駆動される記録素子の数を計数した値と、前記複数ブロックのそれぞれにおける記録素子の駆動数を計数した値とを加算する加算手段と有し、
前記加算手段により加算して得られた値をもとに前記複数の記録ヘッドのそれぞれに印加する駆動用のパルス信号のパルス幅を変更することを特徴とする請求項３に記載のインクジェット記録装置。
【請求項５】
前記記録素子は駆動信号が印加されることにより熱を発生し、当該熱によってインクに気泡を発生させる電気熱変換体を含むことを特徴とする請求項１又は４に記載のインクジェット記録装置。
【請求項６】
前記複数の記録ヘッドのうち、少なくとも１つの記録ヘッドが他の記録ヘッドとは異なるタイミングで駆動されることを特徴とする請求項３又は４に記載のインクジェット記録装置。
【請求項７】
前記記録ヘッドは、熱エネルギーを利用してインクを吐出する記録ヘッドであって、インクに与える熱エネルギーを発生するための電気熱変換体を備えていることを特徴とする請求項１乃至６のいずれか１項に記載のインクジェット記録装置。
【請求項８】
複数の吐出口と該複数の吐出口に対応して設けられた複数の記録素子とを有し、該記録素子に駆動信号を与えることで対応する複数の吐出口からインクを吐出する記録ヘッドを用い、該記録ヘッドから被記録媒体にインクを吐出して記録を行うインクジェット記録装置におけるインクジェット記録方法であって、
前記複数の記録素子を、それぞれが所定数の記録素子を含む複数ブロックに分割し、記録する画像の解像度に応じた吐出周期の間に前記複数ブロックのそれぞれを順次駆動してインクを吐出させ、
前記吐出周期の間に駆動する記録素子の数と、順次駆動される前記複数ブロックのそれぞれにおける記録素子の数とに基づいて、前記記録素子に与える駆動信号のエネルギーを調整することを特徴とするインクジェット記録方法。
【請求項９】
前記駆動条件の調整は、
前記吐出周期の間に駆動される記録素子の数を計数し、
前記複数ブロックのそれぞれにおいて駆動される記録素子の数を計数し、
これら計数された計数値をもとに前記記録ヘッドに印加する駆動用のパルス信号のパルス幅を変更することにより行うことを特徴とする請求項８に記載のインクジェット記録方法。
【請求項１０】
走査方向に対して略直交する方向に配列された複数の吐出口を有し、該吐出口に対応して設けられた記録素子に駆動信号を印加することで対応した複数の吐出口からインクを吐出する記録ヘッドを前記走査方向に複数並列に備え、前記複数の記録ヘッドから被記録媒体にインクを吐出して記録を行うインクジェット記録装置におけるインクジェット記録方法であって、
各記録ヘッドにおける前記複数の記録素子を、それぞれが所定数の記録素子を含む複数ブロックに分割し、記録する画像の解像度に応じた吐出周期の間に、前記複数ブロックのそれぞれを順次駆動してインクを吐出させ、
各記録ヘッドにおける前記吐出周期の間に駆動する記録素子数と、順次駆動される前記複数ブロックのそれぞれにおける吐出口の数とに基づいて、前記複数の記録ヘッドの記録素子に与える駆動信号のエネルギーを調整することを特徴とするインクジェット記録方法。
【請求項１１】
前記駆動条件の調整は、
各記録ヘッドにおける前記吐出周期の間で駆動される記録素子の数を計数して第１の計数値とし、
各記録ヘッドにおける前記複数ブロックのそれぞれにおいて駆動される記録素子の数を計数して第２の計数値とし、
前記複数の記録ヘッドのうち、同時に駆動される記録ヘッドに係る前記第１及び第２の計数値を加算し、
その加算された値をもとに前記複数の記録ヘッドのそれぞれに印加する駆動用のパルス信号のパルス幅を変更することにより行うことを特徴とする請求項１０に記載のインクジェット記録方法。
【請求項１２】
前記複数の記録ヘッドのうち、少なくとも１つの記録ヘッドが他の記録ヘッドとは異なるタイミングで駆動されることを特徴とする請求項１０又は１１に記載のインクジェット記録方法。
【請求項１３】
前記記録ヘッドは、熱エネルギーを利用してインクを吐出する記録ヘッドであって、インクに与える熱エネルギーを発生するための電気熱変換体を備えていることを特徴とする請求項７乃至１１のいずれか１項に記載のインクジェット記録方法。
【請求項１４】
前記インクの吐出は、駆動信号を印加されることで熱を発生し、当該熱によってインクに気泡を発生させる電気熱変換体を用いて成されていることを特徴とする請求項８又は１０に記載のインクジェット記録方法。
【手続補正２】
【補正対象書類名】明細書
【補正対象項目名】００１２
【補正方法】変更
【補正の内容】
【００１２】
【課題を解決するための手段】
上記目的を達成するために本発明のインクジェット記録装置は以下のような構成を備える。即ち、
複数の吐出口と該複数の吐出口に対応して設けられた複数の記録素子とを有し、該記録素子に駆動信号を与えることで対応する複数の吐出口からインクを吐出する記録ヘッドを用い、該記録ヘッドから被記録媒体にインクを吐出して記録を行うインクジェット記録装置であって、
前記複数の記録素子を、それぞれが所定の数の記録素子を含む複数ブロックに分割し、記録する画像の解像度に応じた吐出周期の間に、前記複数ブロックのそれぞれを順次駆動してインクを吐出させる駆動手段と、
前記吐出周期の間に駆動する記録素子の数と、順次駆動される前記複数ブロックのそれぞれにおける記録素子の数とに基づいて、前記記録素子に与える駆動信号のエネルギーを調整する調整手段と、を有することを特徴とする。
【手続補正３】
【補正対象書類名】明細書
【補正対象項目名】００１３
【補正方法】変更
【補正の内容】
【００１３】
上記目的を達成するために本発明のインクジェット記録装置は以下のような構成を備える。即ち、
走査方向に対して略直交する方向に配列された複数の吐出口を有し、該吐出口に対応して設けられた記録素子に駆動信号を印加することで対応した複数の吐出口からインクを吐出する記録ヘッドを前記走査方向に複数並列に備え、前記複数の記録ヘッドから被記録媒体にインクを吐出して記録を行うインクジェット記録装置であって、
各記録ヘッドにおける前記複数の記録素子を、それぞれが所定数の記録素子を含む複数ブロックに分割し、記録する画像の解像度に応じた吐出周期の間で、前記複数ブロックのそれぞれを順次駆動してインクを吐出させる駆動手段と、
各記録ヘッドにおける前記吐出周期の間に駆動する記録素子の数と、順次駆動される前記複数ブロックのそれぞれにおける記録素子の数とに基づいて、前記複数の記録ヘッドの記録素子に与える駆動信号のエネルギーを調整する調整手段と、
を有することを特徴とする。
【手続補正４】
【補正対象書類名】明細書
【補正対象項目名】００１４
【補正方法】変更
【補正の内容】
【００１４】
上記目的を達成するために本発明のインクジェット記録方法は以下のような工程を備える。即ち、
複数の吐出口と該複数の吐出口に対応して設けられた複数の記録素子とを有し、該記録素子に駆動信号を与えることで対応する複数の吐出口からインクを吐出する記録ヘッドを用い、該記録ヘッドから被記録媒体にインクを吐出して記録を行うインクジェット記録装置におけるインクジェット記録方法であって、
前記複数の記録素子を、それぞれが所定数の記録素子を含む複数ブロックに分割し、記録する画像の解像度に応じた吐出周期の間に前記複数ブロックのそれぞれを順次駆動してインクを吐出させ、
前記吐出周期の間に駆動する記録素子の数と、順次駆動される前記複数ブロックのそれぞれにおける記録素子の数とに基づいて、前記記録素子に与える駆動信号のエネルギーを調整することを特徴とする。
【手続補正５】
【補正対象書類名】明細書
【補正対象項目名】００１５
【補正方法】変更
【補正の内容】
【００１５】
上記目的を達成するために本発明のインクジェット記録方法は以下のような工程を備える。即ち、
走査方向に対して略直交する方向に配列された複数の吐出口を有し、該吐出口に対応して設けられた記録素子に駆動信号を印加することで対応した複数の吐出口からインクを吐出する記録ヘッドを前記走査方向に複数並列に備え、前記複数の記録ヘッドから被記録媒体にインクを吐出して記録を行うインクジェット記録装置におけるインクジェット記録方法であって、
各記録ヘッドにおける前記複数の記録素子を、それぞれが所定数の記録素子を含む複数ブロックに分割し、記録する画像の解像度に応じた吐出周期の間に、前記複数ブロックのそれぞれを順次駆動してインクを吐出させ、
各記録ヘッドにおける前記吐出周期の間に駆動する記録素子数と、順次駆動される前記複数ブロックのそれぞれにおける吐出口の数とに基づいて、前記複数の記録ヘッドの記録素子に与える駆動信号のエネルギーを調整することを特徴とする。